(57)【要約】【課題】本発明はインターネット用の検索ホットキーを有するマウスを提供する。【解決手段】本発明に係るマウスはホットキーとホットキー処理プログラマーを含む。前記ホットキー処理プログラマーはユーザーが前記ホットキーをプッシュ及びリリース信号により自動的にインターネットを検索する。【選択図】図３
2008065800.tif 000002
【特許請求の範囲】
【請求項１】
インターネットに接続されるパソコンと接続し、ユーザーが検索サイトによりインターネットの検索を行なうのに用いられ、前記検索サイトはキャラクターインプット欄を含むインターネット用の検索ホットキーを有するマウスであって、
プッシュ信号及びリリース信号を発生するためのホットキーと、
前記検索サイト画面を開き、インターネットの検索指令を実行するためのホットキー処理プログラマーを含み、
前記ホットキー処理プログラマーはさらにプッシュ信号を受信した後、前記ユーザーがマークした少なくとも一つのキャラクターをコピーする工程と、
リリース信号を受信した後、前記パソコンが前記検索サイトと接続し、且つ前記コピーされたキャラクターを前記検索サイトの前記キャラクターインプット欄に貼り付け、前記パソコンが前記検索を行なう工程を含むことを特徴とするインターネット用の検索ホットキーを有するマウス。
【請求項２】
前記マウスは前記検索サイトのウエブアドレスが内蔵されることを特徴とする、請求項1に記載するインターネット用の検索ホットキーを有するマウス。
【請求項３】
インターネットのサイトを検索する指令処理方法であって、
第一トリガー信号に応答しキャラクターコピー指令をパソコンに伝送する工程と、
第二トリガー信号に応答し予め設定した検索サイトに接続する指令、キャラクター貼付け指令、検索開始指令を前記パソコンに伝送しインターネットの検索を実行する工程を含むことを特徴とする、インターネットのサイトを検索する指令処理方法。
【発明の詳細な説明】
【技術分野】
【０００１】
本発明はマウスに関し、特にインターネット用の検索ホットキーを有するマウス及びインターネットのサイトを検索する指令処理方法に係るものである。
【背景技術】
【０００２】
インターネット上には多くの検索サイトが有り、ユーザーにインターネット検索で必要情報を提供している。例えば、Google(http://www.google.com)、Yahoo(http://www.yahoo.com)、及びwww.dictionary.com、http://tw.dictionary.yahoo.com等その他単語翻訳機能を持ったサイトは何れも現在よく利用されている検索機能を提供するサイトである。
【０００３】
一般ユーザーはインターネット検索の際、下記の工程で行なわねばならない。
１．マウスでアドレスを入力してGoogleのような検索エンジンのあるサイトを開く。
２．キーボードで検索サイトのキーワード入力欄にキーワードをインプットし、検索エンジンにある「enter」アイコンをクリック、若しくはキーボード上の「enter」キーをプッシュすると検索が始まる。
【０００４】
キーワード入力はキーボード上での文字入力を意味しており、大多数のユーザーにとって、キーボードからの文字入力という行為は面倒なものである。そこで、大多数のユーザーは文字をコピーする方法でキーワードを入力して検索エンジン画面に辿り着いている。文字をコピーする方法でキーワードを入力してネット検索をする工程は、下記の通りである。
１．マウスで特定のキーワードを表示し、使用プログラムが提供する「コピー」指令のアイコンをクリックして前記表示済みの文字をコピーし、又はキーボード上の「Ctrl+C」のような組合せキーをプッシュして前記表示済みの文字をコピーする。
２．マウス若しくはアドレスを入力してGoogleのような検索エンジンを具えたサイトを開く。
３．「貼付け」指令を実行するか、若しくはキーボード上の「Ctrl+V」のような組合せキーをプッシュして、コピーしたキーワードを検索エンジンのサイト画面にインプットする。
４．検索エンジンにある「enter」アイコンをクリック、若しくはキーボード上の「enter」キーをプッシュすると検索が始まる。
【０００５】
然しながら、どのような方法でもユーザーはキーボードやマウスで３〜４工程を経てようやくネット検索実行完了に漕ぎ着けるのである。このためユーザーがネット検索を行なうためのより簡便な解決方法が求められるのである。
【発明の開示】
【発明が解決しようとする課題】
【０００６】
本発明の目的はインターネット用の検索ホットキーを有するマウスを提供することにあり、マウスにホットキーを設置した上で、ホットキー処理プログラマーを内蔵することでユーザーのインターネット検索工程実行の簡便化を図ることである。
【課題を解決するための手段】
【０００７】
本発明は、インターネットに接続されるパソコンと接続し、ユーザーが検索サイトによりインターネットの検索を行なうのに用いられ、前記検索サイトはキャラクターインプット欄を含むインターネット用の検索ホットキーを有するマウスであって、前記マウスはプッシュ信号及びリリース信号を発生するためのホットキーと、前記検索サイト画面を開き、インターネットの検索指令を実行するためのホットキー処理プログラマーを含み、前記ホットキー処理プログラマーはさらにプッシュ（押し）信号を受信した後、前記ユーザーがマークした少なくとも一つのキャラクターをコピーする工程と、リリース（放し）信号を受信した後、前記パソコンが前記検索サイトと接続し、且つ前記コピーされたキャラクターを前記検索サイトの前記キャラクターインプット欄に貼り付け、前記パソコンが前記検索を行なう工程を含むことを特徴とするインターネット用の検索ホットキーを有するマウスを提供する。前記マウスには前記検索サイトのウエブアドレスが内蔵される。
【０００８】
さらに本発明は、インターネットのサイトを検索する指令処理方法であって、
第一トリガー信号に応答しキャラクターコピー指令をパソコンに伝送する工程と、第二トリガー信号に応答し予め設定した検索サイトに接続する指令、キャラクター貼付け指令、及び検索開始指令を前記パソコンに伝送し、インターネットの検索を実行する工程を含むことを特徴とする、インターネットのサイトを検索する指令処理方法を提供する。
【発明を実施するための最良の形態】
【０００９】
図１は、本発明に係るインターネット検索用ホットキー付きのマウスをパソコンに接続している概略図である。図１では、本発明がインターネット検索用ホットキー付きのマウス１００、パソコン本体２００及びパソコンモニター３００を具備していることを示している。本発明に係るマウス１００はパソコン本体２００に接続可能で、ホットキー１０１及びホットキー処理プログラマー１０２を具備している。本実施例では、マウス１００のホットキー１０１はマウス１００の側面に設置可能で、ユーザーは親指でホットキー１０１をプッシュでき、従来のようにマウスの左キー及び右キークリックのための人差指と中指を使わずにマウス操作が出来る利便性をユーザーに提供するものである。然しながら、本発明におけるホットキーのポジションは側面に限ることなく、ユーザーのニーズによりマウスの他のポジションに設置することも出来る。
【００１０】
図２は、本発明によりネット検索の工程を実行し、パソコンモニターに表示された画面である。
【００１１】
図２Ａは、ユーザーがモニター上に映し出されているワードタイプやエクセルタイプ等の文書３０１を読んでいるところである。図２Ａでは、ユーザーがパソコンモニター３００に表示した文書３０１の某文字をキーワードとしてネット検索しようとしており、本例では「Patent」を例示している。
【００１２】
ユーザーが使用しようとするキーワードを決めた段階で、ホットキー１０１をプッシュすると同時に、マウス１００で従来の方法でモニター上に「Patent」を表示できる。
【００１３】
図２Ｂは、ユーザーがホットキー１０１から手を放すと、パソコン本体２００は特定の検索サイト３０２に接続される。本例ではgoogleサイトであるが、表示されたキーワード「Patent」を検索サイト３０２のキャラクターインプット欄３０３に貼付け、検索開始指令を実行するが、これはユーザーがマウスで検索サイトの「google検索」キーをクリックするか、或いはキーボード上の「enter」キーをプッシュするのと同一視される。当然のことながら、googleサイト以外でも、本発明はその他の検索機能を提供するサイト、例えば、www.dictionary.com、http://tw.dictionary.yahoo.com等の単語翻訳機能を備えたサイトにも接続するこが出来る。
【００１４】
図２Ｃは、パソコンモニター３００が「Patent」をキーワードとして検索を実行して得られた検索結果３０４を表示している。
【００１５】
以上の記述により、本発明に係るネット検索用ホットキー付きマウス１００でネット検索を実行する際には、ホットキー１０１をプッシュするだけで使用しようとするキーワードが表示され、ホットキー１０１をリリースすればネット検索作業が実行出来るのである。即ち、検索の全工程がホットキー１０１のプッシュ／リリースというワンタッチで行なえるということである。
【００１６】
本発明に係るマウスがこのように便利な機能を提供できることは、本発明に係るマウスがホットキー処理プログラマー１０２及び検索サイトのアドレス情報を内蔵したことによる。以下、ホットキー処理プログラマー１０２の工程を説明する。
【００１７】
図３はホットキー処理プログラマーのフローチャートである。
工程３１：ユーザーがホットキー１０１をプッシュすると、プッシュ信号がホットキー処理プログラマー１０２に受信される。
工程３２：「コピー」指令をパソコン本体２００に伝送し、モニター上に表示された文字「Patent」をコピーする。
工程３３：ユーザーがホットキー１０１を放すと、リリース信号がホットキー処理プログラマー１０２に受信される。
工程３４：マウスに内蔵された予め設定された検索サイトとのアドレス情報（本例ではhttp://www.google.com）がパソコン本体２００に伝送され、パソコンが検索サイトに接続される。
工程３５：「貼付け」指令をパソコン本体２００に伝送すると、表示されている文字「Patent」がキャラクターインプット欄３０３にインプットされる。
工程３６：「検索開始」指令をパソコン本体２００に伝送すると、検索が開始され図２Ｃに示されたような検索結果が出てくる。
【００１８】
簡潔に述べると、本発明に係るネット検索用ホットキー付きマウスはホットキー並びにホットキー処理プログラマーを含み、マウス内に予め設定された特定の検索サイトアドレスにより、ユーザーはパソコンに何等稼働プログラムを組み込むことなく、本発明のマウスを使用することで便利なネット検索作業が行なえるのである。
【００１９】
さらに、本発明ではホットキーのプッシュ／リリース動作だけでネット検索作業プロセスが完了するということは一工程だけでの完了を意味し、従来方式による３〜４工程と比較しても、本発明は極めて大きな利便性を提供することとなる。
【００２０】
上記内容は本発明の好ましい実施例に過ぎず、本発明の特許請求項を限定するものではなく、また、本発明で開示した精神を逸脱しない範囲において完成した等価改変若しくは補正は、全て本案における特許請求項内に含まれるものとする。
【図面の簡単な説明】
【００２１】
【図１】本発明に係るマウスをパソコンに接続している概略図。
【図２Ａ】本発明に係るマウスでインターネット検索を行なっているモニターの概略図。
【図２Ｂ】本発明に係るマウスでインターネット検索を行なっているモニターの概略図。
【図２Ｃ】本発明に係るマウスでインターネット検索を行なっているモニターの概略図。
【図３】本発明に係るホットキー処理プログラマーのフローチャート。
【符号の説明】
【００２２】
１００  マウス
１０１  ホットキー
１０２  ホットキー処理プログラマー
２００  パソコン本体
３００  パソコンのモニター
３０１  文書
３０２  検索サイト
３０３  キャラクターインプット欄
３０４  検索の結果
【図１】
2008065800.tif 000003
【図２Ａ】
2008065800.tif 000004
【図２Ｂ】
2008065800.tif 000005
【図２Ｃ】
2008065800.tif 000006
【図３】
2008065800.tif 000007